(57)【要約】【課題】  ダウンロードした絵文字画像を簡易な操作で電子メールのメッセージに挿入させる。【解決手段】  画像データ受信部１１は画像データをコンテンツサーバ２０から受信し、サイズ判定部１２は受信された画像データの縦サイズ×横サイズが２０×２０ドットであるか否かを判定し、絵文字画像格納部１３は画像データの縦サイズ×横サイズが２０×２０ドットであると判定された場合にこの画像データを絵文字画像ファイル１９に格納する。絵文字画像表示部１４は絵文字画像の一覧表示指示にしたがって絵文字画像ファイル１９に格納されている絵文字画像を読み出し、この読み出した絵文字画像を表示画面上に一覧表示させ、絵文字画像挿入部１５は絵文字画像の選択確定指示にしたがって電子メールのメッセージ入力画面のカーソル位置に絵文字画像を挿入する。【選択図】  図２
2008065778.tif 000002
【特許請求の範囲】
【請求項１】
外部装置から画像データを受信する画像データ受信手段と、
前記画像データ受信手段によって受信された前記画像データの縦サイズおよび横サイズが、予め定められた所定のサイズであるか否かを判定するサイズ判定手段と、
前記サイズ判定手段によって前記画像データの縦サイズおよび横サイズが前記所定のサイズであると判定された場合に、当該画像データを、電子メールのメッセージに挿入される絵文字画像として読み出し可能なメモリ領域に格納する絵文字画像格納手段と、
を備えることを特徴とする移動通信端末。
【請求項２】
前記絵文字画像格納手段によって格納された一または複数の前記絵文字画像を表示画面上に表示させるための表示指示にしたがって、前記絵文字画像格納手段によって格納された一または複数の前記絵文字画像を表示画面上の絵文字画像用表示領域に表示させる絵文字画像表示手段をさらに備えることを特徴とする請求項１記載の移動通信端末。
【請求項３】
前記絵文字画像表示手段により前記絵文字画像用表示領域に表示された一または複数の前記絵文字画像のうち、いずれか一の前記絵文字画像が選択された場合に、当該選択された前記絵文字画像を、電子メールのメッセージにおいて予め指定された位置に挿入する絵文字画像挿入手段をさらに備えることを特徴とする請求項２記載の移動通信端末。
【発明の詳細な説明】
【技術分野】
【０００１】
本発明は、絵文字画像を表示可能な移動通信端末に関する。
【背景技術】
【０００２】
従来、携帯電話機の電子メールにおいて、予め登録されている絵文字画像以外の絵文字画像をダウンロードして使用可能とするシステムが提供されている（特許文献１参照）。このダウンロードされた絵文字画像は、メモリに設けられた画像フォルダ内に格納される。
【特許文献１】特開２００３−１１４８４４号公報
【発明の開示】
【発明が解決しようとする課題】
【０００３】
ところで、この画像フォルダには、様々なサイズの画像データが混在して格納される。したがって、ダウンロードした絵文字画像を電子メールのメッセージ中に挿入する場合には、様々な画像データの中からダウンロードした絵文字画像を選別してから挿入しなければならず、操作が煩雑であった。また、画像フォルダが、フォルダの下位階層に設けられている場合には、絵文字画像を挿入する際に、フォルダの階層を下位階層までたどっていく必要があり、この場合にも煩雑な操作を要していた。
【０００４】
そこで、本発明は、上述した課題を解決するために、ダウンロードした絵文字画像を簡易な操作で電子メールのメッセージに挿入させることができる移動通信端末を提供することを目的とする。
【課題を解決するための手段】
【０００５】
本発明の移動通信端末は、外部装置から画像データを受信する画像データ受信手段と、画像データ受信手段によって受信された画像データの縦サイズおよび横サイズが、予め定められた所定のサイズであるか否かを判定するサイズ判定手段と、サイズ判定手段によって画像データの縦サイズおよび横サイズが所定のサイズであると判定された場合に、当該画像データを、電子メールのメッセージに挿入される絵文字画像として読み出し可能なメモリ領域に格納する絵文字画像格納手段と、を備えることを特徴とする。
【０００６】
この発明によれば、外部装置から受信された画像データの縦サイズおよび横サイズが予め定められた所定のサイズである場合には、当該画像データを、電子メールのメッセージに挿入される絵文字画像として読み出し可能なメモリ領域に格納させることができる。したがって、絵文字画像として読み出し可能なメモリ領域に、所定サイズの絵文字画像のみを格納させることが可能となるため、ダウンロードした絵文字画像を簡易な操作で読み出すことができる。また、上記メモリ領域から読み出された全ての画像データを絵文字画像として扱うことが可能となるため、ダウンロードした絵文字画像を簡易な操作で電子メールのメッセージに挿入させることができる。
【０００７】
本発明の移動通信端末において、上記絵文字画像格納手段によって格納された一または複数の絵文字画像を表示画面上に表示させるための表示指示にしたがって、絵文字画像格納手段によって格納された一または複数の絵文字画像を表示画面上の絵文字画像用表示領域に表示させる絵文字画像表示手段をさらに備えることが好ましい。このようにすれば、絵文字画像を表示画面上に表示させる表示指示を検知した場合に、絵文字画像格納手段によって格納された絵文字画像を表示画面上の絵文字画像用表示領域に表示させることができる。
【０００８】
本発明の移動通信端末において、上記絵文字画像表示手段によって絵文字画像用表示領域に表示された一または複数の絵文字画像のうち、いずれか一の絵文字画像が選択された場合に、当該選択された絵文字画像を、電子メールのメッセージにおいて予め指定された位置に挿入する絵文字画像挿入手段をさらに備えることが好ましい。このようにすれば、表示された絵文字画像からいずれか一の絵文字画像が選択されたことを検知した場合に、電子メールのメッセージの予め指定された位置に絵文字画像を挿入させることができる。
【発明の効果】
【０００９】
本発明に係る移動通信端末によれば、ダウンロードした絵文字画像を簡易な操作で電子メールのメッセージに挿入させることができる。
【発明を実施するための最良の形態】
【００１０】
以下、本発明に係る移動通信端末の実施形態を図面に基づき説明する。なお、各図において、同一要素には同一符号を付して重複する説明を省略する。
【００１１】
図１は、実施形態における通信システムの構成を例示する図である。図１に示すように、通信システムは、携帯電話機１０（移動通信端末）とコンテンツサーバ２０（外部装置）とを有する。
【００１２】
携帯電話機１０は、自機が在圏する無線エリアをカバーする基地局（不図示）と無線通信を行い、通話サービスあるいはパケット通信サービスを受ける移動通信端末である。なお、本実施形態における通信システムでは、移動通信端末の具体例として携帯電話機１０を用いて説明しているが、移動通信端末の具体例はこれに限られず、例えば、簡易型携帯電話機（ＰＨＳ）や通信機能を有する携帯型情報端末（ＰＤＡ）等の移動通信端末であってもよい。
【００１３】
コンテンツサーバ２０は、例えば絵文字画像などのコンテンツを携帯電話機１０に対して配信する周知のサーバである。なお、本実施形態における通信システムでは、外部装置の具体例としてコンテンツサーバ２０を用いて説明しているが、外部装置の具体例はこれに限られず、例えば、絵文字画像を格納する固定端末や移動通信端末等の外部装置であってもよい。
【００１４】
図２は、携帯電話機１０の機能構成を例示する図である。図２に示すように、携帯電話機１０は、機能的には、画像データ受信部１１（画像データ受信手段）と、サイズ判定部１２（サイズ判定手段）と、絵文字画像格納部１３（絵文字画像格納手段）と、絵文字画像表示部１４（絵文字画像表示手段）と、絵文字画像挿入部１５（絵文字画像挿入手段）とを備える。なお、携帯電話機１０には、外部装置から受信した絵文字画像を格納するための絵文字画像ファイル１９（絵文字画像として読み出し可能なメモリ領域）が備えられている。ここで、絵文字画像とは、電子メールのメッセージに挿入可能な画像データをいう。本実施形態においては、絵文字画像の「縦サイズ×横サイズ」を、「２０×２０ドット（所定のサイズ）」に予め定めている。なお、これは絵文字画像の縦サイズおよび横サイズを２０ドットに限定するものではない。
【００１５】
図３は、携帯電話機１０のハードウェア構成を例示する図である。図３に示すように、携帯電話機１０は、物理的には、ＣＰＵ１０１と、ＲＯＭ１０２と、ＲＡＭ１０３と、不揮発性メモリであるＥＥＰＲＯＭ１０４と、データ送受信デバイスである通信装置１０５と、入力デバイスである入力キー１０６と、出力デバイスであるディスプレイ１０７とを含むコンピュータシステムとして構成されている。ＣＰＵ１０１が、ＲＯＭ１０２またはＥＥＰＲＯＭ１０４にインストールされたコンピュータソフトウェアを実行することによって図２に示す各構成要素の機能が実現される。また、上述した絵文字画像ファイル１９は、ＥＥＰＲＯＭ１０４に構築される。なお、携帯電話機１０に、外部メモリカードとのデータのやり取りが可能なメモリカードインターフェースを備えることとしてもよい。この場合には、上述した絵文字画像ファイル１９を、この外部メモリカードに構築することとしてもよい。
【００１６】
以下、図２を参照して、携帯電話機１０の各機能要素について詳細に説明する。
【００１７】
画像データ受信部１１は、コンテンツサーバ２０に格納されている画像データを受信する。具体的に説明すると、画像データ受信部１１は、ユーザの操作指示にしたがって、所望の画像データのダウンロード要求をコンテンツサーバ２０に送信し、このダウンロード要求の応答としてコンテンツサーバ２０から送信される画像データを受信する。
【００１８】
サイズ判定部１２は、画像データ受信部１１によって受信された画像データの縦サイズ×横サイズが、２０×２０ドットであるか否かを判定する。
【００１９】
絵文字画像格納部１３は、サイズ判定部１２によって画像データの縦サイズ×横サイズが２０×２０ドットであると判定された場合に、この画像データを絵文字画像であると認識し、絵文字画像ファイル１９に格納する。
【００２０】
絵文字画像表示部１４は、絵文字画像を表示画面上に一覧表示させる。具体的に説明すると、絵文字画像表示部１４は、ユーザの操作指示による絵文字画像の一覧表示指示を検知した場合に、絵文字画像ファイル１９に格納されている絵文字画像を読み出して、この読み出した絵文字画像を表示画面上の絵文字画像用表示領域に一覧表示させる。
【００２１】
絵文字画像挿入部１５は、絵文字画像表示部１４によって絵文字画像用表示領域に一覧表示された絵文字画像からいずれか一の絵文字画像が選択され確定されたことを示す選択確定指示を検知した場合に、この選択・確定された絵文字画像を、後述する電子メールのメッセージ入力画面のカーソル位置に挿入する。
【００２２】
次に、図４に示す画面遷移図を参照して、コンテンツサーバ２０からダウンロードした絵文字画像を、電子メールのメッセージ入力画面に挿入する際の手順について説明する。
【００２３】
まず、図４（ａ）は、電子メールのメッセージ入力画面の一例であるメール本文入力画面を例示する図である。この図４（ａ）に示す画面は、メール本文入力画面に入力されたメッセージのうち、絵文字画像を挿入したい位置にカーソルを移動させた状態を示している。具体的に説明すると、図４（ａ）に示すメール本文入力画面に入力された“お誕生日おめでとう”というメッセージのうち、“お誕生日”というメッセージと“おめでとう”というメッセージの間にカーソルを移動させた状態を示している。
【００２４】
次に、図４（ｂ）〜（ｄ）は、表示画面上に絵文字画像が一覧表示されている状態を例示する図である。これら図４（ｂ）〜（ｄ）に示す画面は、図４（ａ）の画面状態においてユーザが絵文字画像の一覧表示指示を実行した場合に順次表示される。
【００２５】
ここで、図４（ｂ）および（ｃ）に示す“絵文字１”画面と“絵文字２”画面は、携帯電話機１０の出荷時にＲＯＭ１０２に初期登録された絵文字画像を一覧表示した状態を例示したものである。これに対して、図４（ｄ）に示す“追加絵文字”画面は、ＥＥＰＲＯＭ１０４に構築された絵文字画像ファイル１９に格納された絵文字画像を一覧表示した状態を例示したものである。すなわち、図４（ｄ）に示す“追加絵文字”画面は、コンテンツサーバ２０からダウンロードした絵文字画像を一覧表示したものである。
【００２６】
次に、図４（ｅ）は、電子メールのメール本文入力画面に、コンテンツサーバ２０からダウンロードした絵文字画像が挿入された状態を例示する図である。具体的に説明すると、図４（ｅ）に示す画面は、図４（ａ）に示す本文入力画面の“お誕生日”というメッセージと“おめでとう” というメッセージの間に設定されたカーソル位置に絵文字画像が挿入された状態を示すものである。この図４（ｅ）に示す画面は、図４（ｄ）に示す“追加絵文字”画面に表示されている複数の絵文字画像の中から一の絵文字画像が選択・確定された場合に表示される。
【００２７】
このように、本実施形態における携帯電話機１０では、コンテンツサーバ２０からダウンロードした絵文字画像であっても、ＲＯＭ１０２に初期登録されている絵文字画像と同様に、簡易な操作で電子メールのメッセージに絵文字画像を挿入させることができる。
【００２８】
次に、図５および図６を参照して、本実施形態における携帯電話機１０の動作について説明する。図５は、絵文字画像を絵文字画像ファイルに格納する際の絵文字画像格納処理について説明するためのフローチャートである。
【００２９】
まず、図５に示すように、携帯電話機１０の画像データ受信部１１は、ユーザの操作指示にしたがって、所望の画像データのダウンロード要求をコンテンツサーバ２０に送信し（ステップＳ１）、このダウンロード要求の応答としてコンテンツサーバ２０から送信される画像データを受信する（ステップＳ２）。
【００３０】
次に、携帯電話機１０のサイズ判定部１２は、画像データ受信部１１によって受信された画像データの縦サイズ×横サイズが、２０×２０ドットであるか否かを判定する（ステップＳ３）。この判定がＮＯである場合（ステップＳ３；ＮＯ）には、絵文字画像格納処理を終了する。
【００３１】
一方、ステップＳ３において、画像データの縦サイズ×横サイズが２０×２０ドットであると判定された場合（ステップＳ３；ＹＥＳ）に、絵文字画像格納部１３は、この画像データを絵文字画像ファイル１９に格納する（ステップＳ４）。
【００３２】
次に、図６は、電子メールのメッセージに絵文字画像を挿入する際の絵文字画像挿入処理について説明するためのフローチャートである。
【００３３】
まず、図６に示すように、携帯電話機１０のＣＰＵ１０１は、ユーザの操作指示による電子メールのメッセージ入力画面の表示指示を検知した場合に、電子メールのメッセージ入力画面を表示画面上に表示させる（ステップＳ１１）。
【００３４】
次に、携帯電話機１０のＣＰＵ１０１は、ユーザの操作指示によるカーソル移動指示にしたがってカーソルを移動させる（ステップＳ１２）。
【００３５】
次に、絵文字画像表示部１４は、ユーザの操作指示による絵文字画像の一覧表示指示を検知した場合に（ステップＳ１３）、絵文字画像ファイル１９に格納されている絵文字画像を読み出して、この読み出した絵文字画像を表示画面上の絵文字画像用表示領域に一覧表示させる（ステップＳ１４）。
【００３６】
次に、絵文字画像挿入部１５は、ユーザの操作指示による絵文字画像の選択確定指示を検知した場合（ステップＳ１５）に、選択・確定された絵文字画像を、電子メールのメッセージ入力画面のカーソル位置に挿入する（ステップＳ１６）。
【００３７】
以上のように、本実施形態における携帯電話機１０によれば、サイズ判定部１２を備えることによって、画像データ受信部１１によって受信された画像データの縦サイズ×横サイズが２０×２０ドットであるか否かを判定することができる。また、絵文字画像格納部１３を備えることによって、画像データの縦サイズ×横サイズが２０×２０ドットである場合には、この画像データを絵文字画像として絵文字画像ファイル１９に格納させることができる。これにより、外部装置から受信した絵文字画像を格納するための絵文字画像ファイル１９に、２０×２０ドットの絵文字画像のみを格納させることができる。それゆえに、ダウンロードした絵文字画像を簡易に読み出すことが可能となり、さらに、ダウンロードした絵文字画像を簡易な操作で電子メールのメッセージに挿入させることが可能となる。
【００３８】
また、絵文字画像表示部１４を備えることによって、絵文字画像を表示画面上に表示するように要求された場合に、絵文字画像ファイル１９に格納された絵文字画像を表示画面上の絵文字画像用表示領域に一覧表示させることができる。
【００３９】
さらに、絵文字画像挿入部１５を備えることによって、一覧表示された絵文字画像からいずれか一の絵文字画像が選択された場合に、電子メールのメッセージ入力画面のカーソル位置に、絵文字画像ファイル１９に格納された絵文字画像を挿入させることができる。
【図面の簡単な説明】
【００４０】
【図１】実施形態における通信システムのシステム構成を例示する図である。
【図２】図１に示す携帯電話機の機能構成を例示するブロック図である。
【図３】図１に示す携帯電話機のハードウェア構成を例示するブロック図である。
【図４】絵文字画像を挿入する際に表示される画面の遷移を例示する図である。
【図５】絵文字画像格納処理の流れを説明するためのフローチャートである。
【図６】絵文字画像挿入処理の流れを説明するためのフローチャートである。
【符号の説明】
【００４１】
１０・・・携帯電話機、１１・・・画像データ受信部、１２・・・サイズ判定部、１３・・・絵文字画像格納部、１４・・・絵文字画像表示部、１５・・・絵文字画像挿入部、１９・・・絵文字画像ファイル、２０・・・コンテンツサーバ。
【図１】
2008065778.tif 000003
【図２】
2008065778.tif 000004
【図３】
2008065778.tif 000005
【図４】
2008065778.tif 000006
【図５】
2008065778.tif 000007
【図６】
2008065778.tif 000008